(57)【特許請求の範囲】
【請求項１】
取引媒体の装填を受ける媒体装填部が設けられ、該媒体装填部に収納された取引媒体を複数の自動取引装置に補充しかつ該各自動取引装置から取引媒体を回収する媒体補充回収機を備える自動機管理装置であって、
前記媒体補充回収機は、少なくとも前記媒体装填部に取引媒体を装填する前に前記媒体装填部に収納されている前記取引媒体の数を計数する媒体計数部と、前記媒体装填部に対しその固有の最大最適収納数が記憶されている最大最適収納数記憶部とを含み、
前記最大最適収納数記憶部により記憶された前記最大最適収納数から前記媒体計数部により計数された前記取引媒体の数を減算することにより、前記媒体装填部に新たに装填可能な最大装填数を演算する演算回路と、
前記演算回路により演算された前記最大装填数を表示する表示部とを備えることを特徴とする自動機管理装置。
【請求項２】
前記媒体補充回収機は、前記取引媒体の前記各自動取引装置への補充および前記各自動取引装置からの回収のための補充回収口と、前記各自動取引装置から回収された前記取引媒体を収納する媒体回収部と、前記取引媒体を搬送するための媒体搬送路とを備え、
前記媒体搬送路は、前記媒体装填部から前記補充回収口を経て前記媒体回収部に到る循環搬送路部分を有し、この循環搬送路部分に前記媒体計数部が設けられたことを特徴とする請求項１記載の自動機管理装置。
【請求項３】
前記媒体計数部は、取引媒体の金種を認識する認識部分を有することを特徴とする請求項２記載の自動機管理装置。
【請求項４】
前記取引媒体は紙幣であり、前記固有の最大最適収納数は、古い紙幣に基づいて設定されることを特徴とする請求項１記載の自動機管理装置。
【発明の詳細な説明】
【０００１】
【発明の属する技術分野】
本発明は、例えば銀行等の金融機関に設置される自動取引装置内の紙幣あるいは硬貨のような取引媒体を管理するための媒体補充回収機を備える自動機管理装置に関し、特に、一台の媒体補充回収機で複数台の自動取引装置を管理するのに好適な自動機管理装置に関する。
【０００２】
【従来の技術】
従来、例えば銀行等の金融機関には顧客サービスの向上のために自動取引装置が設置されている。自動取引装置内の例えば紙幣のような取引媒体の補充回収作業を自動的に行うために自動機管理装置が一般的に用いられている。
【０００３】
自動機管理装置には、自動取引装置に紙幣を補充し、あるいは自動取引装置から紙幣を回収するために自走する媒体補充回収機が設けられている。このような媒体補充回収機は、自動取引装置から紙幣が不足している情報を受け取ると、媒体補充回収機のカセットの媒体装填部に収納されている紙幣を自動取引装置に自動的に補充する。
【０００４】
この媒体補充回収機のカセットに収納されている補充用の紙幣が不足した場合、オペレータが紙幣を媒体装填部に装填する必要がある。
この媒体装填部への紙幣の装填に際しては、媒体装填部に紙幣が過剰に収納されると、紙幣が媒体補充回収機内の媒体搬送路を移送されるときに媒体搬送路上で目詰まりを生じることから、オペレータは目詰まりを生じることのない適正量の紙幣を装填する必要がある。
【０００５】
【発明が解決しようとする課題】
しかしながら、カセットの媒体装填部への紙幣の最大最適収納数は、媒体補充回収機毎のカセットの仕様に応じて異なっている。そのため、仕様の異なるカセットに紙幣を装填する毎に、オペレータが経験等により最大最適収納数を求め、この最大最適収納数に基づいて最大装填数を求める必要があった。このため、特に、カセットの仕様が異なる複数台の媒体補充回収機が設置されている場合、オペレータの装填作業が煩わしくなるといった問題があった。
【０００６】
また、オペレータが経験等により求めた最大最適収納数に誤りがあると、カセットの媒体装填部に過剰な紙幣を装填することがあり、上述のような紙幣の目詰まりが生じるといった問題があった。
【０００７】
また、オペレータが経験等により最大最適収納数を求める際の誤りを防止するために最大最適収納枚数をカセットの表面等に表示させることが考えられる。しかしながら、媒体補充回収機毎のカセットにその最大最適収納数を単に表示させたとしても、カセットに取引媒体を装填する毎に、オペレータが最大装填数を求める必要があり、オペレータの装填作業が依然煩わしいといった問題があった。
【０００８】
このことから、取引媒体が媒体補充回収機内の媒体搬送路を移送されるときに媒体搬送路上で目詰まりを生じることなく、かつオペレータの装填作業を軽減することができる自動機管理装置が望まれていた。
【０００９】
【課題を解決するための手段】
本発明は、以上の点を解決するために、次の構成を採用する。
〈構成〉
本発明は、取引媒体の装填を受ける媒体装填部が設けられ、媒体装填部に収納された取引媒体を複数の自動取引装置に補充しかつ各自動取引装置から取引媒体を回収する媒体補充回収機を備える自動機管理装置であって、媒体補充回収機は、少なくとも媒体装填部に取引媒体を装填する前に媒体装填部に収納されている取引媒体の数を計数する媒体計数部と、媒体装填部に対しその固有の最大最適収納数が記憶されている最大最適収納数記憶部とを含み、最大最適収納数記憶部により記憶された最大最適収納数から媒体計数部により計数された取引媒体の数を減算することにより、媒体装填部に新たに装填可能な最大装填数を演算する演算回路と、演算回路により演算された最大装填数を表示する表示部とを備えることを特徴とする。
【００１０】
〈作用〉
本発明に係る自動機管理装置では、最大最適収納数記憶に、媒体補充回収機の媒体装填部における固有の最大最適収納数が記憶されている。そして、演算回路が、前記記憶部に記憶された固有の最大最適収納数から媒体計数部により計数された取引媒体の数を減算することにより、媒体装填部に装填可能な最大装填数を演算し、表示部が演算回路により演算された最大装填数を表示する。
【００１１】
従って、オペレータは、表示部に表示される最大装填数を確認してから、この最大装填数に基づく数の取引媒体を媒体補充回収機の媒体装填部に装填することにより、媒体装填部に対し固有の適正量の取引媒体を装填することができる。
【００１２】
このようなオペレータの装填作業では、オペレータ自身が各媒体補充回収機毎に最大最適収納数を求める必要がないことから、オペレータが誤った最大最適収納数を求めることにより生じる媒体装填部への過剰な取引媒体の装填を防止することができる。
【００１３】
即ち、それぞれ機種が異なる複数の媒体補充回収機に取引媒体を装填する場合、媒体補充回収機の機種毎に例えカセットの最大最適収納数が異なるとしても、各媒体補充回収機に取引媒体を装填する毎に、オペレータがカセットの最大最適収納数に基づいて最大装填数を求める必要がない。
【００１４】
したがって、本発明によれば、取引媒体が媒体補充回収機内の媒体搬送路上で目詰まりを生じるのを防止し、かつオペレータの装填作業を軽減することができる。
【００１５】
本発明に係る自動機管理装置では、媒体計数部を、媒体装填部から媒体補充回収機の補充回収口を経て媒体補充回収機の媒体回収部に到る循環搬送路部分に設けることができる。媒体装填部に収納されている取引媒体を媒体補充回収機内の循環搬送路部分上で搬送させるときに媒体計数部を動作させることにより、媒体装填部に収納されている取引媒体の数が計数される。
【００１６】
また、媒体計数部に、取引媒体を認識するための認識部分を設けることができる。認識部分により取引媒体を例えば種別毎に認識させることにより、媒体装填部に収納されている取引媒体の数が種別毎に計数される。
【００１７】
また、取引媒体が紙幣の場合、同一枚数でみると、古い紙幣は新しい紙幣よりも嵩張る。そのため、この嵩張りにより媒体装填部に収納可能な紙幣の最大収納枚数が相違することを考慮して、固有の最大最適収納数として古い紙幣の最大収納枚数を設定することが望ましい。固有の最大最適収納数として古い紙幣の最大収納枚数を設定することにより、新しい紙幣ではもちろんのこと、古い紙幣であっても媒体装填部に過剰に収納されることがなく、紙幣の目詰まりの発生を一層効果的に防止することができる。
【００１８】
【発明の実施の形態】
以下、本発明の実施の形態を具体例を用いて説明する。
《具体例》
〈構成〉
図１は、本発明に係る自動機管理装置の主要部を示す。
図１に沿って本発明に係る自動機管理装置の主要部を説明するに先立ち、本発明が対象とする自動機管理装置および該自動機管理装置により管理される自動取引装置の一般的な構成を図２および図３に沿って説明する。
【００１９】
図２は、自動機管理装置および該自動機管理装置により管理される自動取引装置１の外観を示す。
自動機管理装置は、図２に示されるように、例えば銀行等の金融機関に設置された例えば４台の自動取引装置１を管理するために設けられている。これらの自動取引装置１は、取引媒体である貨幣を収納して顧客と入出金取引を行うために設けられている。
【００２０】
自動機管理装置には、集中制御部３が設けられており、集中制御部３は、例えば各自動取引装置１に収納されている紙幣の枚数等の情報をメモリ等に記憶することにより、自動取引装置１を管理する。集中制御部３には、集中操作部８、表示部９およびプリンタ１０が電気的に接続されている。オペレータが集中操作部８を操作すると、従来よく知られているように、集中制御部３により、操作結果が表示部９に表示されながら自動取引装置１に関する処理が進行され、さらにオペレータが所定の操作を行うと、表示部９の表示内容がプリンタ１０に出力される。
【００２１】
また、自動機管理装置には、自動取引装置１に紙幣を補充しかつ自動取引装置１から紙幣を回収するための媒体補充回収機２が設けられている。媒体補充回収機２は、集中制御部３に接続されており、従来よく知られているように、集中制御部３から紙幣の補充あるいは回収が必要となった自動取引装置１の情報を受けると、自動取引装置１の入出金取引側と反対側に位置する背面側に配置されたレール６に沿って自走し、紙幣の補充あるいは回収が必要となった自動取引装置１の補充回収作業を自動的に行う。
【００２２】
図３は、図２に示された線Ａ−Ａに沿って得られた断面における媒体補充回収機２の内部機構を示す。
図３に示されるように、媒体補充回収機２は、該媒体補充回収機２のケーシング１００内に収容される内部機構として、自動取引装置１に補充するための紙幣および自動取引装置１から回収される紙幣を収納するための補充回収カセット１３０、１３０と、各補充回収カセット１３０および自動取引装置１間で紙幣を搬送するための搬送部１１０とを備える。
【００２３】
２個の補充回収カセット１３０は、従来よく知られているように、互いに補助的に使われる。すなわち、一方の補充回収カセット１３０内に自動取引装置１へ供給すべき紙幣が不足すると、他方の補充回収カセット１３０から紙幣が供給される。また、一方の補充回収カセット１３０が紙幣で満杯になると、回収された紙幣は他方の補充回収カセット１３０へ収納される。
【００２４】
各補充回収カセット１３０には、従来よく知られているように、自動取引装置１に補充するための紙幣を集積するステージ１３２と、ステージ１３２上の紙幣を一枚ずつ分離して搬送部１１０へ繰り出す紙幣分離部１３１と、補充回収カセット１３０に収納されている紙幣の枚数の計数時、すなわち有高確定動作時に使用可能であると判別される紙幣あるいは自動取引装置１から回収された紙幣を集積する回収紙幣集積部１３３と、補充回収カセット１３０に新たな紙幣が装填された後に行われる有高確定動作時に例えば汚れや破損等のために使用が好ましくないと判別されるリジェクト紙幣を集積するリジェクト紙幣集積部１３４とが設けられている。
【００２５】
搬送部１１０は、ケーシング１００内の循環路１５０を備える。該循環路１５０は、各補充回収カセット１３０の紙幣分離部１３１に接続する。紙幣分離部１３１から繰り出された紙幣は、アクチュエータ１１５を介して循環路１５０に切替可能に接続された補充路１７１を経て、自動取引装置１に補充される。
【００２６】
また、搬送部１１０の回収路１７２を経て自動取引装置１から回収される紙幣は、アクチュエータ１１２を介して循環路１５０に切替可能に接続された分岐路１６１を経て、補充回収カセット１３０の回収紙幣集積部１３３へ搬送される。また、有高確定動作時に補充回収カセット１３０の紙幣分離部１３１から繰り出されかつ後述する紙幣計数部１１１により使用可能であると判別される紙幣は、分岐路１６１を経て回収紙幣集積部１３３へ搬送される。回収紙幣集積部１３３へ搬送された紙幣は、従来よく知られているように、再び補充回収カセット１３０のステージ１３２上に集積される。
【００２７】
また、補充回収カセット１３０に新たな紙幣が装填される前に有高確定動作が行われると、紙幣分離部１３１から繰り出されかつ後述する紙幣計数部１１１により使用が好ましくないと判別されるリジェクト紙幣は、アクチュエータ１１４を介して循環路１５０に切替可能に接続された分岐路１６３を経てケーシング１００内に設けられたカセット１０１へ搬送され、使用可能な紙幣と分離される。
【００２８】
また、補充回収カセット１３０に新たな紙幣が装填された後に有高確定動作が行われると、従来よく知られているように、計数不能なリジェクト紙幣の確実な管理のために、紙幣分離部１３１から繰り出されかつ後述する紙幣計数部１１１により使用が好ましくないと判別されるリジェクト紙幣は、アクチュエータ１１３を介して循環路１５０に切替可能に接続された分岐路１６２を経て補充回収カセット１３０のリジェクト紙幣集積部１３４へ搬送され、使用可能な紙幣および装填前に判別されたリジェクト紙幣と分離される。
【００２９】
前記したアクチュエータ１１２ないし１１５の切替動作は、従来よく知られているように、媒体補充回収機２の各種動作を制御するためにケーシング１００内に設けられた制御部２０により制御される。制御部２０には、制御回路部分およびメモリ等からなる記憶部分が設けられている。
【００３０】
次に、本発明に係る自動機管理装置の図１に示される主要部について説明する。
図１および図３を参照するに、本発明に係る自動機管理装置には、媒体補充回収機２の搬送部１１０の循環路１５０上に前記した紙幣計数部１１１が設けられている。紙幣計数部１１１は、従来よく知られているように、有高確定動作時に補充回収カセット１３０の紙幣分離部１３１から繰り出され該紙幣計数部１１１を通過する使用可能な紙幣を判別しその紙幣の枚数を計数する。
【００３１】
紙幣計数部１１１により例えば汚れや破損等のために使用が好ましくないと判別されるリジェクト紙幣は、計数されずに該紙幣計数部１１１を通過する。また、紙幣計数部１１１は、金種等を認識する認識部を有し、該紙幣計数部１１１を通過する紙幣の枚数を万券紙幣および千券紙幣毎に計数する。
【００３２】
したがって、補充回収カセット１３０の取り外しにより図３中の上下方向に移動可能となるステージ１３２と紙幣分離部１３１との間に形成される媒体装填部１３０ａに紙幣が新たに装填される前に有高確定動作が行われると、紙幣計数部１１１により、装填前に補充回収カセット１３０に既に収納されている紙幣の枚数が計数される。
【００３３】
また、補充回収カセット１３０の媒体装填部１３０ａに紙幣が装填された後に有高確定動作が行われると、紙幣計数部１１１により、装填後に補充回収カセット１３０に収納されている紙幣の枚数が計数される。
【００３４】
さらに、媒体補充回収機２の内部には、メモリ等で構成される最大最適収納数記憶部２３が設けられている。該最大最適収納数記憶部２３は、媒体装填部１３０ａに収納される紙幣の最大最適収納数Ｇを記憶する。
【００３５】
補充回収カセット１３０の媒体装填部１３０ａに収納される紙幣の枚数が該最大最適収納数Ｇを越えない枚数である場合、有高確定動作時に紙幣分離部１３１から繰り出される紙幣は、搬送部１１０の循環路１５０および分岐路１６１ないし１６３上で目詰まりを生じることなく搬送されるとともに、自動取引装置１への補充動作時に紙幣分離部１３１から繰り出される紙幣は、搬送部１１０の循環路１５０および補充路１７１上で目詰まりを生じることなく搬送される。
【００３６】
最大最適収納数Ｇとして、例えば２０００枚の所定値が設定される。また、同一枚数でみると古い紙幣は新しい紙幣よりも嵩張ることから、媒体装填部１３０ａに物理的に収納され得る紙幣の最大収納枚数は、古い紙幣および新しい紙幣がどのような比率で収納されるかにより異なる。
【００３７】
したがって、新しい紙幣および古い紙幣が媒体装填部１３０ａにどのような比率で収納されても、媒体装填部１３０ａに過剰な紙幣が収納されないようにするために、最大最適収納数Ｇとして、媒体装填部１３０ａに収納される紙幣を全て古い紙幣にした場合の最大収納枚数が設定される。
【００３８】
最大最適収納数Ｇとして、前記の全て古い紙幣にした場合の最大収納枚数に代えて、媒体装填部１３０ａに収納される古い紙幣と新しい紙幣との適正な比率に基づいた所定値を設定することができる。
【００３９】
また、媒体補充回収機２には、ＣＰＵ（Central Processing Unit）等で構成される演算回路２４が設けられている。該演算回路２４は、前記紙幣計数部１１１および前記最大最適収納数記憶部２３に接続されている。該演算回路２４は、最大最適収納数記憶部２３に記憶されている最大最適収納数Ｇから、紙幣計数部１１１により計数された補充回収カセット１３０内の紙幣の枚数を減算する。
【００４０】
また、演算回路２４は、従来よく知られているように、紙幣の装填後に紙幣計数部１１１により計数された万券紙幣の枚数から、紙幣の装填前に紙幣計数部１１１により計数された万券紙幣の枚数を減算する。万券紙幣におけると同様に、演算回路２４は、紙幣の装填後に紙幣計数部１１１により計数された千券紙幣の枚数から、紙幣の装填前に紙幣計数部１１１により計数された千券紙幣の枚数を減算する。
【００４１】
図４および図５は、媒体補充回収機２の操作部を説明する。
さらに、媒体補充回収機２には、ケーシング１００の図３中の上面に操作部５０が設けられている。該操作部５０には、図４（ａ）に示されるように、操作部５０の電源４０と、媒体補充回収機２の各種動作の命令入力のための押しボタンスイッチ群（４１〜４５）と、操作案内画面をディスプレイ２５ａに表示するための表示部２５とが設けられている。
【００４２】
図４および図５に示されるように、操作部５０の押しボタンスイッチ群（４１〜４５）は、従来よく知られているように、２個の補充回収カセット１３０のうち何れか一方における紙幣の補充回収を制限するための取引制限キー４１と、全ての補充回収カセット１３０に収納されている紙幣の合計金額を算出するための合計金額算出キー４２と、媒体補充回収機２を一時的に停止させるための一時停止キー４３と、緊急時に媒体補充回収機２を停止させるための非常停止キー４５と、オペレータの操作により紙幣を自動取引装置１から強制的に回収する強制回収処理、オペレータの操作により紙幣を自動取引装置１へ強制的に補充する強制補充処理および紙幣を媒体補充回収機２の補充回収カセット１３０に新たに装填する装填処理のうち何れかの操作手順に移行するための特殊業務キー４４とを含む。
【００４３】
操作部５０の押しボタンスイッチ群（４１〜４５）のうち、特殊業務キー４４がオペレータにより押されると、図４（ｂ）に示されるように、表示部２５のディスプレイ２５ａには電気的に機能する押ボタンとしてタッチセンサ２６ａないし２６ｃが表示される。
【００４４】
タッチセンサ２６ａを押すと、ディスプレイ２５ａには強制補充処理を実行するための操作画面が表示され、所定の操作により強制補充処理が実行される。また、タッチセンサ２６ｂを押すと、ディスプレイ２５ａには強制回収処理を実行するための操作画面が表示され、所定の操作により強制回収処理が実行される。
【００４５】
また、タッチセンサ２６ｃを押すと、ディスプレイ２５ａには、図４（ｃ）に示されるように、まず、装填前の有高確定動作を実行するための操作画面が表示される。さらに、この操作画面において表示されるタッチセンサ２６ｅを押すと、制御部２０により装填前の有高確定動作が実行される。
【００４６】
この装填前の有高確定動作では、前記したように装填前の補充回収カセット１３０に収納されている紙幣の枚数が紙幣計数部１１１により計数される。これにより、装填前の万券紙幣の枚数Ｚmmおよび千券紙幣の枚数Ｚmsが計数される。これらの値は、従来よく知られているように、制御部２０に設けられた前記記憶部分に記憶される。
【００４７】
装填前の有高確定動作が終了すると、紙幣計数部１１１により計数された装填前の万券紙幣の枚数Ｚmmおよび千券紙幣の枚数Ｚmsと、最大最適収納数記憶部２３に記憶されている最大最適収納数Ｇとが、制御部２０により演算回路２４に入力される。演算回路２４は、以下の式（１）に従って、補充回収カセット１３０の媒体装填部１３０ａに装填可能な紙幣の最大装填数Ｋを演算する。
Ｋ＝Ｇ−（Ｚmm＋Ｚms）    …式（１）
これにより、補充回収カセット１３０の媒体装填部１３０ａに装填可能な紙幣の最大装填数Ｋが求められる。
【００４８】
演算回路２４により求められた最大装填数Ｋは、図５（ｄ）に示されるように、制御部２０により表示部２５のディスプレイ２５ａに表示される。このディスプレイ２５ａに表示された最大装填数Ｋに基づいて、オペレータは最大装填数Ｋを越えない枚数の紙幣を補充回収カセット１３０の媒体装填部１３０ａに装填する。
【００４９】
この紙幣の装填作業の終了後に、最大装填数Ｋの表示画面に表示されるタッチセンサ２６ｇを押すと、制御部２０により装填後に再び有高確定動作が前記と同様に実行される。
【００５０】
この装填後の有高確定動作が終了すると、紙幣計数部１１１により計数された装填後の万券紙幣の枚数Ｚgmおよび千券紙幣の枚数Ｚgsは、前記したと同様に、制御部２０の記憶部分に記憶され、この装填後の万券紙幣の枚数Ｚgmおよび千券紙幣の枚数Ｚgs並びに前記したように制御部２０の記憶部分に既に記憶されている装填前の万券紙幣の枚数Ｚmmおよび千券紙幣の枚数Ｚmsに基づいて、演算回路２４は、以下の式（２）および（３）に従って、万券紙幣の装填金額Ｓm（円）および千券紙幣の装填金額Ｓs（円）を演算する。
【００５１】
Ｓm＝（Ｚgm−Ｚmm）×１００００    …式（２）
Ｓs＝（Ｚgs−Ｚms）×１０００      …式（３）
演算回路２４により演算された万券紙幣の装填金額Ｓm（円）および千券紙幣の装填金額Ｓs（円）は、図５（ｅ）に示されるように、表示部２５のディスプレイ２５ａに表示される。
【００５２】
この装填金額の表示画面には、さらにタッチセンサ２６ｉが表示される。オペレータがこのタッチセンサ２６ｉを押すと、制御部２０は、自動機管理装置の装填処理に関連する装填後の装填金額確認の動作を終了させ、媒体補充回収機２の紙幣の補充回収動作を再開させる。
【００５３】
また、図４（ｂ）ないし図５（ｄ）に示されるように、装填作業が終了するまでの各操作画面において表示されるタッチセンサ２６ｄ、２６ｆおよび２６ｈのうち何れかを押すと、特殊業務キー４４の押下操作が取り消され、再び図４（ａ）に示される初期画面が表示される。
【００５４】
〈動作〉
次に、本発明に係る自動機管理装置の装填処理の操作手順をより詳細に説明する。
図６および図７は、自動機管理装置の装填処理に関連する一連の動作を示す。まず、オペレータが図４（ａ）に示された操作部５０の電源４０を入れると、制御部２０により、表示部２５のディスプレイ２５ａに初期画面が表示される。
【００５５】
オペレータが操作部５０の特殊業務キー４４を押すと（ステップＳ１）、図４（ｂ）に示されるように、制御部２０により、装填処理への移行を選択するための装填処理選択画面が表示部２５のディスプレイ２５ａに表示される（ステップＳ２）。
【００５６】
オペレータが特殊業務キー４４以外の押しボタンスイッチ、例えば取引制限キー４１を押すと、２個の補充回収カセット１３０のうち何れか一方における紙幣の補充回収を制限するための操作画面がディスプレイ２５ａに表示される。また、オペレータが特殊業務キー４４に代えて合計金額算出キー４２を押すと、全ての補充回収カセット１３０に収納されている紙幣の合計金額を算出するための操作画面が表示される。
【００５７】
また、オペレータが特殊業務キー４４に代えて一時停止キー４３を押すと、媒体補充回収機２を一時的に停止させるための操作画面がディスプレイ２５ａに表示される。また、オペレータが特殊業務キー４４に代えて非常停止キー４５を押すと、緊急時に媒体補充回収機２を停止させるための操作画面が表示される。
【００５８】
このような取引制限キー４１、合計金額算出キー４２、一時停止キー４３および非常停止キー４５が押されると、ディスプレイ２５ａ上のそれぞれの操作画面に従って、それぞれのキーに対応する媒体補充回収機２の各種動作が進行する。
【００５９】
ステップＳ１で特殊業務キー４４が押されると、前記したように、タッチセンサ２６ａ、２６ｂおよび２６ｃが装填処理選択画面上に表示される。装填処理への移行のためのタッチセンサ２６ｃが選択的に押されると（ステップＳ３）、前記したように、図４（ｃ）に示されるような装填前の有高確定動作の操作画面が表示される（ステップＳ４）。
【００６０】
装填処理選択画面上のタッチセンサ２６ｃに代えてタッチセンサ２６ａが押されると（ステップＳ１７）、前記したように、強制補充処理を実行するための操作画面が表示され、オペレータが所定の操作を行うと、強制補充処理が実行される。この強制補充処理が終了すると、再び図４（ａ）に示される初期画面が表示される。
【００６１】
また、装填処理選択画面上のタッチセンサ２６ｂが選択的に押されると（ステップＳ１７）、前記したように、強制回収処理を実行するための操作画面が表示され、オペレータが所定の操作を行うと、強制回収処理が実行される。この強制回収処理が終了すると、再び図４（ａ）に示される初期画面が表示される。
【００６２】
また、前記したとおり、装填処理選択画面には、タッチセンサ２６ａ、２６ｂおよび２６ｃと共に、タッチセンサ２６ｄが表示される。この装填処理選択画面上のタッチセンサ２６ｄが選択的に押されると（ステップＳ１７）、前記したように、ステップＳ１で行われた特殊業務キー４４の押下操作が取り消され、再び図４（ａ）に示される初期画面が表示される。
【００６３】
装填処理への移行のためのタッチセンサ２６ｃの押下操作により、ステップＳ４で装填前の有高確定動作の操作画面が表示されると、前記したように、この操作画面にはタッチセンサ２６ｅおよび２６ｆが表示される。
【００６４】
オペレータが装填前の有高確定動作の操作画面上のタッチセンサ２６ｅを押すと（ステップＳ５）、前記したように、制御部２０により、装填前の有高確定動作が実行され、紙幣計数部１１１により、補充回収カセット１３０に収納されている万券紙幣の枚数Ｚmmおよび千券紙幣の枚数Ｚmsが計数される（ステップＳ６）。
【００６５】
また、紙幣計数部１１１により計数された万券紙幣の枚数Ｚmmおよび千券紙幣の枚数Ｚmsは、前記したように、制御部２０の記憶部分に記憶され（ステップＳ７）、演算回路２４により、最大装填数Ｋが演算される（ステップＳ８）。
【００６６】
該最大装填数Ｋは、前記したように、図５（ｄ）に示されるように、制御部２０により、タッチセンサ２６ｇおよび２６ｈと共に、表示部２５のディスプレイ２５ａに表示される（ステップＳ９）。
【００６７】
オペレータは、この最大装填数Ｋを確認してから、最大装填数Ｋを越えない枚数の紙幣を補充回収カセット１３０の媒体装填部１３０ａに装填することにより（ステップＳ１０）、適正量の紙幣を比較的容易に装填することができる。
【００６８】
このような装填作業では、オペレータ自身が補充回収カセット１３０の最大最適収納数を求める必要がないことから、オペレータが誤った最大最適収納数を求めることによって生じる媒体装填部１３０ａへの過剰な紙幣の装填を防止することができる。
【００６９】
また、それぞれ機種が異なる複数の媒体補充回収機２に紙幣を装填する場合、媒体補充回収機２の機種毎に例え補充回収カセット１３０の最大最適収納数が異なるとしても、各媒体補充回収機２に紙幣を装填する毎に、オペレータが補充回収カセット１３０の最大最適収納数に基づいて最大装填数を求める必要がない。このことから、オペレータの装填作業の軽減化を図ることができる。
【００７０】
ステップＳ４で装填前の有高確定動作の操作画面が表示されたとき、装填処理の中止のために、オペレータがこの操作画面上のタッチセンサ２６ｅに代えてタッチセンサ２６ｆを押すと（ステップＳ１８）、制御部２０により、前記したように、ステップＳ１で行われた特殊業務キー４４の押下操作が取り消され、再び図１（ａ）に示される初期画面が表示される。
【００７１】
ステップＳ１０でオペレータが最大装填数Ｋを確認してから適正量の紙幣を装填した後、オペレータが最大装填数Ｋの表示画面上のタッチセンサ２６ｇを押すと（ステップＳ１１）、前記したように、制御部２０により、装填後の有高確定動作が行われ、紙幣計数部１１１により、補充回収カセット１３０に収納されている万券紙幣の枚数Ｚgmおよび千券紙幣の枚数Ｚgsが計数される（ステップＳ１２）。
【００７２】
最大装填数Ｋの表示画面上のタッチセンサ２６ｇが押されることにより行われる有高確定動作時に、補充回収カセット１３０の紙幣分離部１３１から繰り出される紙幣は、前記のとおり、媒体装填部１３０ａに適正量の紙幣が収納されていることから、媒体補充回収機２内の搬送部１１０の循環路１５０および分岐路１６１ないし１６３上で目詰まりを生じることがない。
【００７３】
紙幣計数部１１１により計数された万券紙幣の枚数Ｚgmおよび千券紙幣の枚数Ｚgsは、前記したように、制御部２０の記憶部分に記憶され（ステップＳ１３）、演算回路２４により、万券紙幣の装填金額Ｓmおよび千券紙幣の装填金額Ｓsが演算される（ステップＳ１４）。
【００７４】
また、演算回路２４により演算された万券紙幣の装填金額Ｓmおよび千券紙幣の装填金額Ｓsは、前記のとおり、制御部２０により、図５（ｅ）に示されるような装填金額の表示画面にタッチセンサ２６ｉと共に表示される（ステップＳ１５）。
【００７５】
装填処理の中止のために、オペレータが最大装填数Ｋの表示画面上のタッチセンサ２６ｇの代わりにタッチセンサ２６ｈを押すと（ステップＳ１９）、前記したように、ステップＳ１で行われた特殊業務キー４４の押下操作が取り消され、再び図１（ａ）に示される初期画面が表示される。
【００７６】
オペレータが装填金額の表示画面に表示される万券紙幣の装填金額Ｓmおよび千券紙幣の装填金額Ｓsを確認した後、装填金額の表示画面上のタッチセンサ２６ｉを押すと（ステップＳ１６）、前記したように、制御部２０により、自動機管理装置の装填処理に関連する一連の動作が終了され、媒体補充回収機２の紙幣の補充回収動作が再開される。
【００７７】
装填金額の表示画面上のタッチセンサ２６ｉが押されることにより媒体補充回収機２の紙幣の補充動作が行われると、補充回収カセット１３０の紙幣分離部１３１から繰り出される紙幣は、前記したように、媒体補充回収機２内の搬送部１１０の循環路１５０および補充路１７１上で目詰まりを生じることなく自動取引装置１へ搬送される。
【００７８】
また、前記したとおり、最大最適収納数Ｇとして、補充回収カセット１３０の媒体装填部１３０ａに収納される紙幣を全て古い紙幣にした場合の最大収納枚数が設定されていることから、新しい紙幣および古い紙幣が媒体装填部１３０ａにどのような比率で収納されても、媒体装填部１３０ａに過剰な紙幣が収納されることがなく、これにより、紙幣の目詰まりの発生が一層効果的に防止される。
【００７９】
本具体例では、最大最適収納数記憶部２３が媒体補充回収機２の制御部２０の記憶部分から分離して設けられているが、最大最適収納数記憶部２３を制御部２０の前記記憶部分にこれと一体的に設けてもよい。また、本具体例では、演算回路２４が制御部２０から分離して設けられているが、演算回路２４を制御部２０に設けられる演算部分で代用してもよい。
【００８０】
また、媒体補充回収機２の制御部２０を媒体補充回収機２の内部に設けた例を説明したが、この例に代えて、制御部２０を自動取引装置１を管理するための集中制御部３に、これと一体的に設けることにより、制御部２０を媒体補充回収機２から分離させることができる。
【００８１】
また、本具体例では、媒体補充回収機２の操作部５０が媒体補充回収機２に設けられているが、自動取引装置１に関する処理を操作するための集中操作部８および表示部９に操作部５０の機能を担わせることにより、媒体補充回収機２の動作を集中操作部８および表示部９で操作することができる。
【００８２】
また、本具体例では、取引媒体として紙幣を取り扱う自動取引装置の自動機管理装置を説明したが、本発明を紙幣に加えて硬貨を取り扱う自動取引装置の自動機管理装置に適用することができる。
【００８３】
また、本具体例では、前記自動機管理装置により自動取引装置で取り扱われる貨幣を管理する例を説明したが、前記自動機管理装置により、例えば乗車券の発券のために駅に設置される自動発券装置等の自動販売装置で取り扱われる貨幣を管理することができる。
【００８４】
【発明の効果】
本発明に係る自動機管理装置では、前記したように、媒体補充回収機内の媒体搬送路上で媒体装填部に収納されている取引媒体が目詰まりを生じることなく搬送され得る最大最適収納数に基づいて演算される最大装填数が、表示部に表示される。
【００８５】
したがって、本発明によれば、表示部に表示される最大装填数の数値を参照することにより、オペレータは適正量の取引媒体を迅速かつ比較的容易に媒体装填部に装填することができ、これにより、取引媒体が媒体補充回収機内の媒体搬送路上で目詰まりを生じることを確実に防止することができ、しかもオペレータの装填作業の負担を軽減することができる。
【図面の簡単な説明】
【図１】本発明に係る自動機管理装置の主要部を示すブロック図である。
【図２】自動機管理装置の外観を示す斜視図である。
【図３】図２に示された線Ａ−Ａに沿って得られた断面における媒体補充回収機の内部機構を示す断面図である。
【図４】媒体補充回収機の操作部を説明する説明図である。
【図５】媒体補充回収機の操作部を説明する説明図である。
【図６】自動機管理装置の装填処理に関連する一連の動作を示すフローチャートである。
【図７】自動機管理装置の装填処理に関連する一連の動作を示すフローチャートである。
【符号の説明】
２３  最大最適収納数記憶部
２４  演算回路
２５  表示部
１１１  紙幣計数部（媒体計数部）
【図１】
0003692415.tif 000002
【図２】
0003692415.tif 000003
【図３】
0003692415.tif 000004
【図４】
0003692415.tif 000005
【図５】
0003692415.tif 000006
【図６】
0003692415.tif 000007
【図７】
0003692415.tif 000008